(57)【要約】【課題】  磁場発生源に人が不用意に近づかないように警告を行う携帯装置及びその付属装置を提供する。【解決手段】  磁気共鳴画像診断装置の磁場を検出する磁場検出部１と、警告を発するデータ処理部３及び報知部４とを備え、データ処理部３及び報知部４は、磁場検出部１から検出される磁場の強さに応じて異なる警告を発する。【選択図】  図１
2006223670.tif 000002
【特許請求の範囲】
【請求項１】
磁気共鳴画像診断装置の磁場を検出する磁場検出手段と、
前記磁場検出手段で検出された磁場に基づいて指示信号を作成する制御手段と、
前記指示信号に基づいて警告を発する警告発生手段とを
備えたことを特徴とする携帯装置。
【請求項２】
前記制御手段は、前記磁場の強さに応じた指示信号を生成し、前記警告発生手段は、前記指示信号毎に異なる警告を発することを特徴とする請求項１に記載の携帯装置。
【請求項３】
前記警告発生手段は、前記指示信号毎に異なる音量で前記警告を発することを特徴とする請求項２に記載の携帯装置。
【請求項４】
前記警告発生手段は、前記指示信号毎に異なる音の種類で前記警告を発することを特徴とする請求項２に記載の携帯装置。
【請求項５】
前記警告発生手段は、前記磁場検出手段、制御手段、及び警告発生手段を動作させる電力を供給する電力供給手段からの電力が所定のレベルに低下した時に、電力不足を知らせる警告を発することを特徴とする請求項１に記載の携帯装置。
【請求項６】
アンテナを介して通話用の電波の送受信を行う送受信手段と、
前記送受信手段のＯＮ／ＯＦＦを設定する設定手段とを有し、
前記警告発生手段は、前記設定手段で設定された前記送受信手段のＯＦＦの場合でも前記警告を発することを特徴とする請求項１に記載の携帯装置。
【請求項７】
アンテナを介して通話用の電波の送受信を行う送受信手段と、
前記通話用の電波を受信した際の音量を設定する音量設定手段とを有し、
前記警告発生手段は、前記設定手段で設定された音量にかかわらず所定の音量で前記警告を発することを特徴とする請求項1に記載の携帯装置。
【請求項８】
アンテナを介して通話用の電波の送受信を行う送受信手段と、
前記通話用の電波を受信した際には音を発生させず振動するマナーモードに設定する設定手段とを有し、
前記警告発生手段は、前記設定手段でマナーモードに設定されている場合でも所定の音量で前記警告を発することを特徴とする請求項１に記載の携帯装置。
【請求項９】
出力手段を備えた携帯装置に接続されて用いられる携帯装置の付属装置であって、
磁気共鳴画像診断装置の磁場の強さを検出する磁場検出手段と、
前記磁場検出手段の検出結果に基づいて前記出力手段に警告させるための磁場検出信号を前記携帯装置に送信する送信手段とを
備えたことを特徴とする携帯装置の付属装置。
【発明の詳細な説明】
【技術分野】
【０００１】
本発明は、携帯電話等の携帯装置及びその付属装置に係り、特に磁気共鳴画像診断装置の磁場を検出する携帯装置及びその付属装置に関する。
【背景技術】
【０００２】
最近は、携帯電話機、ＰＨＳ（Ｐｅｒｓｏｎａｌ  Ｈａｎｄｙｐｈｏｎｅ  Ｓｙｓｔｅｍ）、ポケットベルなどの各種携帯装置が普及し、患者、医療機器サービス技術者などの多くの人によって医療施設に持ち込まれる。
【０００３】
また、医療従事者、特に医師などは即時連絡が可能な状況が求められる職種であり、携帯通信装置を利用して、いつでも連絡を取ることができる体制が求められている。
【０００４】
一方、患者向けに待ち時間や入院中における外部との通信体制を整備する要求も大きく、特に入院患者にとっては、入院中の不安感と焦燥感を和らげるために、通常保持している携帯電話による通信を可能とし、ＱＯＬ（Ｑｕａｌｉｔｙ  ｏｆ  Ｌｉｆｅ）の要求が高まっている。
【０００５】
このような要求に対して、医師、看護師などのあらゆる職種間で即時音声通信を可能にすることを目的として、医療施設内にＰＨＳの導入や、医療施設内の特定の区域での携帯電話の使用を許可するなどの取り組みが行われている（例えば、特許文献１参照。）。
【０００６】
ところで、撮影画像により患者を診断する画像診断装置の一つに磁気共鳴画像診断（ＭＲＩ）装置がある。このＭＲＩ装置は、核磁気共鳴現象を用いて、超伝導磁石による高磁場環境で生体の断層撮影を行うもので、磁場発生源はその磁場が漏洩しないように医療施設のシールドルーム内に設置されている。
【特許文献１】特開２００４−１３５２３５号公報
【発明の開示】
【発明が解決しようとする課題】
【０００７】
そのために、シールドルーム内に携帯電話機などの磁性体を含むものが持ち込まれると、ＭＲＩ装置の磁場発生源が磁性体を含むものを吸引して磁場発生源を破損させる恐れや、携帯電話機の場合の内部のデータを破壊するなどの故障を招く恐れがある。
【０００８】
このため、携帯電話機などの磁性体を含むものを携帯している場合、安全性の観点から、不用意に磁場発生源に近づく行為に対して警告を行うことができることが望まれる。
【０００９】
本発明は、上記問題点を解決するためになされたもので、不用意にＭＲＩ装置等の磁場発生源に近づかないように警告を発する携帯装置及びその付属装置を提供することを目的とする。
【課題を解決するための手段】
【００１０】
上記問題を解決するために、請求項１に係る本発明の携帯装置は、磁気共鳴画像診断装置の磁場を検出する磁場検出手段と、前記磁場検出手段で検出された磁場に基づいて指示信号を作成する制御手段と、前記指示信号に基づいて警告を発する警告発生手段とを備えたことを特徴とする。
【００１１】
また請求項９に係る本発明の携帯装置の付属装置は、出力手段を備えた携帯装置に接続されて用いられる携帯装置の付属装置であって、磁気共鳴画像診断装置の磁場の強さを検出する磁場検出手段と、前記磁場検出手段の検出結果に基づいて前記出力手段に警告させるための磁場検出信号を前記携帯装置に送信する送信手段とを備えたことを特徴とする。
【発明の効果】
【００１２】
本発明によれば、ＭＲＩ装置等の磁場発生源に近づくような事態になっても、警告を行うことで磁性体を携帯した人に注意を促し、未然に事故を防止することができる。
【発明を実施するための最良の形態】
【００１３】
本発明は、携帯電話機、ＰＨＳ、ポケットベル、時計等に適用可能であるが、実施例では携帯電話機に磁場検出部を設けてＭＲＩ装置等の磁場を検出して警告するようにした携帯装置及びその付属装置を例にして説明する。
【００１４】
以下、本発明の実施例を図面を参照して説明する。
【実施例１】
【００１５】
以下に、携帯装置の実施例１を、図１及び図２を参照して説明する。  
図１は、実施例１に係る携帯装置の構成を示したブロック図である。この携帯装置１０は、ＭＲＩ装置の磁場を検出する磁場検出部１と、外部との通話用の電波の送受信及び受信データや送信電波の生成を行う送受信部２と、送受信部２からの受信データから音声の出力や外部の音声から送信データの生成を行うデータ処理部３とを備えている。
【００１６】
また、携帯装置１０は、着信音データなどの様々なデータを保存する記憶部５と、着信の報知などを行う報知部４と、着信や発信の電話番号などを表示する表示部６と、発信先の電話番号や各種コマンド信号の入力、マナーモードの設定／解除操作などを行なう操作部７と、全てのユニットを動作させる電力を供給する電源部８と、前述の各ユニットを統括して制御する制御部９とを備えている。
【００１７】
磁場検出部１は、磁場を検出するホール素子などを含む磁場検出回路１１と、磁場検出回路１１から出力された磁場信号を処理する信号処理部１２とを備えている。そして、磁場検出回路１１は、携帯装置１０を携帯する人が医療施設のＭＲＩ装置に近づいた時に、ＭＲＩ装置の磁場を検出して電気信号に変換し、そのホール素子のホール電圧を増幅して信号処理部１２に出力する。信号処理部１２は、磁場検出回路１１からの磁場信号から磁場データを生成して制御部９に出力する。制御部９では、磁場検出部１からの磁場データに基づいて危険度１乃至Ｎの指示信号を作成して、データ処理部３へ出力する機構となっている。
【００１８】
送受信部２は、例えば外部の基地局との間で通話用の電波の送受信を行うアンテナ２１と、アンテナ２１との間で通話用の電波の送受信を行う送受信回路２２とを備えている。
【００１９】
送受信回路２２は、着信時には、外部の基地局からアンテナ２１を介して着信した着信電波から着信データを生成してデータ処理部３に出力する。そして、送受信回路２２は、操作部７の着信通話操作に基づく制御部９の制御により、外部の基地局からアンテナ２１を介して受信した受信電波から受信データを生成してデータ処理部３に出力する。
【００２０】
また、送受信回路２２は、発信時には、操作部７の発信通話操作による制御部９の制御により、発信電波を生成してアンテナ２１を介して外部の基地局に発信する。そして、送受信回路２２は、操作部７の送信通話操作に基づく制御部９の制御により、データ処理部３からの送信データから送信電波を生成してアンテナ２１を介して外部の基地局に出力する。
【００２１】
データ処理部３は、送受信部２との間で送信データの送信や受信データの受信を行うデータ変換部３１と、データ変換部３１との間で音声データの送受信を行う音声処理部３２と、音声処理部３２との間で音声信号の送受信を行う音声入出力部３３とを備えている。
【００２２】
音声入出力部３３は、音声処理部３２からの音声信号から音声を出力するレシーバ３４及びスピーカ３５と、使用者の音声から音声信号を出力するマイクロフォン３６とを備えている。なお、レシーバ３４及びスピーカ３５は、磁石を含む部品から構成されているので、磁場検出部１から十分離れた位置に配置され、磁場検出部１に対してＭＲＩ装置の磁場を検出するために必要な検出感度よりも極めて小さな磁場しか作用しないようになっている。
【００２３】
データ変換部３１は、操作部７のマナーモード解除操作により、着信時において、送受信部２の送受信回路２２からの着信データに基づいた制御部９の指示で予め記憶部７に保存されている着信を報知するための着信音データを読み出して音声処理部３２に出力する。音声処理部３２は、データ変換部３１からの着信音データから着信音信号を生成して音声入出力部３３に出力する。音声入出力部３３のスピーカ３５は、音声処理部３２からの着信音信号に応答して着信音を出力する。なお、操作部７のマナーモード設定操作により、着信時において着信音の出力は行われない。
【００２４】
次いで、データ変換部３１は、操作部７の受信通話操作により送受信部２の送受信回路２２からの受信データを受信音声データに変換して、音声処理部３２に出力する。音声処理部３２は、データ変換部３１からの受信音声データを復調して受信音声信号を生成して音声入出力部３３に出力する。音声入出力部３３のレシーバ３４やスピーカ３５は、音声処理部３２からの受信音声信号に応答して音声を出力する。
【００２５】
また、送信時において、音声入出力部３３のマイクロフォン３６は、使用者からの音声を送信音声信号に変換して音声処理部３２に出力する。音声処理部３２は、マイクロフォン３６からの送信音声信号を変調して送信音声データを生成してデータ変換部３１に出力する。データ変換部３１は、音声処理部３２からの送信音声データを変換して送信データを生成して送受信部２２の送受信回路２２に出力する。
【００２６】
更に、データ変換部３１は、磁場検出部１からの磁場データに基づく制御部９からの危険度１乃至Ｎの指示により、予め記憶部７に保存されている危険度１乃至Ｎに対応した第１乃至ｎの磁場警告音データを読み出して音声処理部３２に出力する。音声処理部３２は、データ変換部３１からの第１乃至ｎの磁場警告音データから第１乃至ｎの磁場警告音信号を生成して音声入出力部３３に出力する。音声入出力部３３のスピーカ３５は、音声処理部３２からの第１乃至ｎの磁場警告音信号に応答して第１乃至ｎの磁場警告音を出力する。なお、磁場警告音データは、危険度とＮ対ｎに対応しなくても、Ｎ対ｍの対応であっても良い。
【００２７】
報知部４は、発光して報知する発光部４１と、振動して報知するバイブレータ部４２とを備え、磁場検出部１或いは制御部９からの指示により、磁場警告或いは着信の報知を行う。
【００２８】
発光部４１は、白色、青色、黄色、赤色などを発光する複数の発光ダイオードから構成され、着信に対しては例えば白色の点滅により報知する。また、発光部４１は、磁場検出部１からの磁場データに基づく制御部９からの危険度１乃至Ｎに対応した制御信号により、例えば赤色を点灯する第１発光、赤色を点滅する第２発光、黄色を点灯する第３発光により警告する。
【００２９】
バイブレータ部４２は、磁場検出部１に対して影響しない残留磁束密度の永久磁石を有する本体及び偏心分銅から構成され、磁場検出部１から離れた位置に配置され、着信に対しては着信用のバイブレーションにより報知する。
【００３０】
また、バイブレータ部４２は、磁場検出部１からの磁場データに基づく制御部９からの危険度１乃至Ｎに対応した制御信号により、例えばバイブレーションの強度、間隔などを変えた組み合わせによる第１乃至第ｎの振動により警告する。
【００３１】
記憶部５は、記憶回路を備え、前記危険度１乃至Ｎに対応した第１の磁場警告データを最大音量とし第ｎの磁場警告データまで順に音量が下がる第１乃至ｎの磁場警告音データや、着信音データ、送受信した時の電話番号などが保存されている。なお、第１乃至ｎの磁場警告音データは、磁場警告音データ毎に音の種類が異なる音データであってもよい。また、第１乃至ｎの磁場警告音データは、例えば第１の磁場警告音データが「最も危険な磁場エリアです」などの、磁場警告音データ毎に異なる磁場警告音声メッセージであってもよい。
【００３２】
表示部６は、液晶パネルなどの表示パネルを備え、操作部７の送信操作及び通話設定操作などによる数字の表示や、磁場検出部１において検出される磁場に対し磁場範囲設定画面などの表示を行う。
【００３３】
操作部７は、電源ＯＮ／ＯＦＦボタン、発信及び受信ボタン、数字ボタンなど各種ボタンで構成される入力デバイスなどを備え、表示部６に表示された磁場範囲設定画面を用いて第１乃至ｎの磁場範囲の設定及び各磁場範囲に対応した危険度１乃至Ｎの選択、携帯装置１０の電源ＯＮ及びＯＦＦ、発信のための電話番号入力、マナーモード設定及び解除などの操作を行う。
【００３４】
電源部８は、電池を備え、磁場検出部１、送受信部２、データ処理部３、報知部４、記憶部５、表示部６、操作部７、制御部９に電力を供給する。
【００３５】
制御部９は、ＣＰＵと記憶回路とを備え、操作部７から供給される入力情報や設定情報等は一旦前記記憶回路に保存される。そして、前記ＣＰＵは、これらの情報に基づいて、磁場検出部１、送受信部２、データ処理部３、報知部４、記憶部５、表示部６、電源部８等の各ユニットの制御やシステム全体の制御を行なう。
【００３６】
そして、制御部９は、操作部７の電源ＯＮにより、全てのユニットを動作させる。そして電源ＯＦＦにより、送受信部２の動作を停止させた状態で、磁場検出部１を動作させてその検出される磁場データに基づいて、データ処理部３及び報知部４に警告させる。
【００３７】
また、制御部９は、操作部７からの電源ＯＮ／ＯＦＦ状態に拘らず、電源部８が、磁場検出部１、データ処理部２、及び報知部４を動作させるための電力を供給できなくなる少し前の所定のレベルに低下した時点で、データ処理部３や報知部４に電力不足を知らせる警告音の出力や報知を行わせる。
【００３８】
次に、図１乃至図２を参照して携帯装置１０の動作を説明する。  
図２は、ＭＲＩ装置の一部が配置されたシールドルーム２００内における平面方向の磁場分布の一例を示した図である。
【００３９】
このシールドルーム２００は、ＭＲＩ装置の発生する磁場が外部に漏洩するのを防ぐために設けられ、その内部にはＭＲＩ装置を構成している被検体を撮影するための磁石架台２０１と、患者を載置して撮影位置に設定するための寝台２０２とが配置されている。そして、シールドルーム２００には、ＭＲＩ装置の操作者や患者などが出入りする出入口２００ａ、及びこの出入口２００ａを遮蔽するための扉２００ｂが設けられている。
【００４０】
磁石架台２０１は、静磁場発生用の磁石などから構成され、その磁石によって磁場中心部２０３を中心として、図２に示す第１の磁場エリア２０４と第２の磁場エリア２０５の磁場分布を有する。このうち第１の磁場エリア２０４は、例えば心臓用ペースメーカなどの埋め込み機器使用者の立ち入り制限推奨ラインの５．０ガウス以上のエリアである。また、第２の磁場エリア２０５は、例えばシールドなしのカラーモニタが影響を受ける０．５ガウス〜４．９ガウスまでのエリアである。
【００４１】
次に、図１及び図２を参照して実施例に係る携帯装置の動作を説明する。まず、危険度１乃至Ｎに対応した第１乃至ｎの磁場警告音データを操作部７から設定入力することにより、制御部９は、記憶部５に第１及び第２の磁場警告音データを設定し保存する。
【００４２】
また、最も高い警告レベルとして表示部６の磁場範囲設定画面の第１磁場範囲に、例えば第１の磁場エリア２０４に対応した５．０ガウス以上及び第１の磁場範囲に対応した危険度１を、次に高い警告レベルとして第２の磁場範囲に、例えば第２の磁場エリア２０５に対応した０．５〜４．９ガウス及び第１の磁場範囲に対応した危険度２を、操作部７から設定及び選択入力することにより、制御部９は、内部の記憶回路に第１及び第２の磁場範囲の入力情報を保存する。
【００４３】
これらの設定が予め行われた携帯装置１０を携帯する使用者（携帯者）がシールドルーム２００の外側から扉２００ｂを開けた場合、磁場検出部１は、シールドルーム２００の出入口２００ａの外側に漏れる０．５〜４．９ガウスの範囲の磁場を検出して制御部９に出力する。制御部９は、磁場検出部１からの磁場データに基づいて、データ処理部３及び報知部４に危険度２の警告の指示をする。
【００４４】
即ち、データ処理部３のデータ変換部３１は、磁場検出部１からの磁場データに基づく制御部９からの危険度２により、記憶部５に記憶されている危険度２に対応した第２の磁場警告音データを読み出して音声処理部３２に出力する。音声処理部３２は、データ変換部３１からの第２の磁場警告音データから第２の磁場警告音信号を生成して音声入出力部３３に出力する。音声入出力部３３のスピーカ３５は、使用者に対し音声処理部３２からの第２の磁場警告音信号に応答して第２の磁場警告音を発する。
【００４５】
また、報知部４のバイブレータ部４２は、磁場検出部１からの磁場データに基づく制御部９からの危険度２に対応した制御信号により、例えばバイブレーションの強度、間隔などを変えた組み合わせによる第２の振動により使用者に警告を発する。
【００４６】
また、報知部４の発光部４１は、磁場検出部１からの磁場データに基づく制御部９からの危険度２に対応した制御信号により、例えば赤色を点滅する第２発光により使用者に警告する。これらスピーカ３５、バイブレータ部４２、および発光部４１による警告は単独または複数同時に動作させても良い。
【００４７】
このように、携帯者やその同行者は、危険度２の警告により第２の磁場エリア２０５に位置していることが分かるので、ＭＲＩ装置の磁場発生源の影響を受ける前の位置で磁性体を含む所持品を取り外すことができる。また、心臓用ペースメーカの埋め込み機器使用者などの人体への影響がある者への注意を促すことができる。
【００４８】
また、携帯者がシールドルーム２００に入室して第２の磁場エリア２０５に位置した場合、磁場検出部１、制御部９、データ処理部３、報知部４は、シールドルーム２００の外側から扉２００ｂを開けた場合と同様に動作をする。
【００４９】
更に、携帯者がシールドルーム２００内の第１の磁場エリア２０４に位置した場合、磁場検出部１は、５．０ガウス以上の磁場を検出して制御部９に出力する。制御部９は、磁場検出部１からの磁場データに基づいて、データ処理部３及び報知部４に危険度１の警告の指示をする。データ処理部３は、記憶部５から危険度１の第１の磁場警告音データを読み出してスピーカ３５から第１の磁場警告音を発する。また、報知部４の発光部４１及びバイブレータ部４２は、制御部９からの制御信号により危険度１の第１発光及び第１振動して警告を発する。
【００５０】
このように、危険度１の警告により、携帯者やその同行者に対して、心臓用ペースメーカの埋め込み機器使用者などの人体への影響がある磁場エリアに踏み入ったことへの注意を促すことができる。
【００５１】
以上述べた本発明の実施例１によれば、操作部７の電源のＯＮ／ＯＦＦ、マナーモード設定／解除などの操作にかかわらず磁場検出部１で検出される磁場の強さに応じて警告を発することにより、ＭＲＩ装置の磁場発生源の影響を受ける前に注意することができるので、人体への悪影響、磁場発生源が磁性体を吸引することによる破損、携帯装置１０の故障などの事故を未然に防ぐことができる。
【００５２】
また、電源部８が、磁場検出部１、データ処理部２、及び報知部４を動作させるための電力を供給できなくなる前に、データ処理部３や報知部４に電力不足を知らせる警告音の出力や報知を行わせることにより、警告動作の停止を未然に防ぐことができる。
【００５３】
なお、本発明は上記実施例１に限定されるものではなく、例えば第３の磁場範囲以降にも第２磁場範囲よりも低い磁場範囲を設定しておくことにより、更に広範囲の磁場強度エリアの検出を行うことが可能であり、それに伴って危険度３以降の警告を行うことも可能である。
【実施例２】
【００５４】
以下に、磁場検出システムの実施例２を図３を参照して説明する。  
図３は、実施例２に係る磁場検出システムの構成を示したブロック図である。図３に示した実施例２が図１における実施例１と異なる点は、図１の携帯装置１０における磁場検出部１と、制御部９の磁場検出部１の制御に関る部分とを携帯装置１０から分割して携帯装置１００及び携帯装置の付属装置１１０に構成されるシステムに置き換えた点である。
【００５５】
携帯装置１００は、専用の制御部９ａを備え、図１の携帯装置１０における磁場検出部１が取り除かれてインターフェース１０１が追加されたのと同様の構成になっている。上記の構成以外は、実施例１の携帯装置１０の動作と同様なので、その説明を省略する。
【００５６】
携帯装置の付属装置１１０は、携帯装置１００に着脱可能に接続され、磁場検出部１と、磁場検出部１において検出された磁場のデータを携帯装置１００に送信するためのインターフェース１１１と、磁場検出部１、インターフェース１１１、制御部９ｂを動作させる電力を供給する電源部８ｂと、前述の各ユニットを制御する制御部９ｂとを備えている。
【００５７】
磁場検出部１は、制御部９ｂからの指示により、外部のＭＲＩ装置の磁場を検出して磁場データを生成してインターフェース１１１、携帯装置１００のインターフェース１０１を介して、携帯装置１００の制御部９ａに出力する。携帯装置１００の制御部９ａは、携帯装置の付属装置１１０からの磁場データに基づいて、データ処理部３及び報知部４に警告させる。
【００５８】
電源部８ｂは、電池を備え、携帯装置の付属装置１１０が携帯装置１００に接続された状態で、磁場検出部１、インターフェース１１１、制御部９ｂに電力を供給する。そして、携帯装置の付属装置１１０が携帯装置１００から取り外された状態では、磁場検出部１、インターフェース１１１、制御部９ｂへの電源の供給を停止する。
【００５９】
制御部９ｂは、磁場検出部１、電源部８ｂ、インターフェース１０１の各ユニットの制御や全体を統括した制御を行なう。そして、制御部９ｂは、電源部８ｂが磁場検出部１、インターフェース１１１を動作させる電力を供給できなくなる少し前の所定のレベルに低下した時点で、携帯装置の付属装置１１０の電力不足を知らせる信号をインターフェース１１１、携帯装置１００のインターフェース１０１を介して、携帯装置１００の制御部９ａに出力する。携帯装置１００は、携帯装置の付属装置１１０からの信号に基づいて携帯装置の付属装置１１０の電力不足の警告を行う。
【００６０】
以上述べた本発明の実施例２によれば、上記実施例１と同様の効果を有する他に、ＭＲＩ装置における磁場の検出の必要がない場合、携帯装置の付属装置１１０を携帯装置１００から取り外しておくことにより、携帯装置の付属装置１１０の電源部８ｂの電池を節約することができる。
【図面の簡単な説明】
【００６１】
【図１】本発明の実施例１に係る携帯装置の構成を示すブロック図。
【図２】本発明の実施例１に係るＭＲＩ装置の磁場分布の一例を示す図。
【図３】本発明の実施例２に係る磁場検出システムの構成を示すブロック図。
【符号の説明】
【００６２】
１  磁場検出部
２  送受信部
３  データ処理部
４  報知部
５  記憶部
６  表示部
７  操作部
８  制御部
９  電源部
１０  携帯装置
１１  磁場検出回路
１２  信号処理部
２１  アンテナ
２２  送受信回路
３１  データ変換部
３２  音声処理部
３３  音声入出力部
３４  レシーバ
３５  スピーカ
３６  マイクロフォン
４１  発光部
４２  バイブレータ部
【図１】
2006223670.tif 000003
【図２】
2006223670.tif 000004
【図３】
2006223670.tif 000005